(57)【要約】【課題】着信音を聴くだけで、着信相手にどの程度待たせているかを感覚的に把握することができる携帯電話機を提供する。【解決手段】記憶されている着信音データの中から１以上の着信音データを選択する。そして、着信があった場合に、着信に対して応答するまでの間、外部スピーカ９から選択した着信音データ（Ａ曲、Ｃ曲、Ｄ曲）を順に連続再生する。【選択図】図１
2008060709.tif 000002
【特許請求の範囲】
【請求項１】
複数の楽曲データを記憶する楽曲データ記憶手段と、
前記楽曲データ記憶手段から１以上の前記楽曲データを選択する楽曲データ選択手段と、
着信があった場合に、前記着信に対して応答する応答手段と、
着信後、前記応答手段により応答するまでの間、前記楽曲データ選択手段により選択した前記楽曲データを順に連続再生する楽曲再生手段と
を備えていることを特徴とする携帯電話機。
【請求項２】
前記楽曲データ選択手段により選択した楽曲データの再生順序を決定する再生順序決定手段をさらに備えていることを特徴とする請求項１に記載の携帯電話機。
【請求項３】
着信信号を受信する受信手段と、
受信した前記着信信号に基づいて、着信相手を特定する着信相手特定手段と
をさらに備え、
前記再生順序決定手段は、
前記着信相手毎に前記再生順序の設定が可能であって、
前記楽曲再生手段は、
前記着信相手特定手段が着信相手を特定すると、その着信相手に設定した再生順序に従って、前記楽曲データを再生する
ことを特徴とする請求項２に記載の携帯電話機。
【請求項４】
時計機能と、
時刻を設定する時刻設定手段と
をさらに備え、
前記楽曲再生手段は、
前記時刻設定手段により設定した時刻になると、前記楽曲データ選択手段により選択した前記楽曲データを順に連続再生することを特徴とする請求項１〜３の何れか１項に記載の携帯電話機。
【発明の詳細な説明】
【技術分野】
【０００１】
本発明は、着信時に音楽が再生できる携帯電話機に関するものである。
【背景技術】
【０００２】
現在の携帯電話機は、様々な機能を有しており、その一つとして、音楽を再生できる機能を有した携帯電話機がある。そして、この種の携帯電話機は、着信があった場合に、着信を所有者に報知する着信音として、音楽が再生できるようになっている（例えば、特許文献１）。
【０００３】
【特許文献１】特開２００１−２１１２３５号公報
【発明の開示】
【発明が解決しようとする課題】
【０００４】
この特許文献１のように、着信時に音楽が再生な携帯電話機は、１曲の音楽が繰り返しなるようになっている。このため、例えば、しばらく着信に気が付かなかった場合、同じ曲が繰り返し鳴っていると、着信相手をどれくらい待たせていたかを把握できなかった。
【０００５】
そこで、本発明の目的は、着信音を聴くだけで、着信相手にどの程度待たせているかを感覚的に把握することができる携帯電話機を提供することである。
【課題を解決するための手段及び効果】
【０００６】
上記目的を達成するために、本発明は、複数の楽曲データを記憶する楽曲データ記憶手段と、楽曲データ記憶手段から１以上の楽曲データを選択する楽曲データ選択手段と、着信があった場合に、着信に対して応答する応答手段と、着信後、応答手段により応答するまでの間、楽曲データ選択手段により選択した楽曲データを順に連続再生する楽曲再生手段とを備えている。
【０００７】
この構成によると、携帯電話機において、着信後、応答するまでの間、複数の楽曲データが連続して再生可能となっている。これにより、携帯電話機の所有者は、着信があった場合、現在再生されている楽曲が連続再生されている何曲目の楽曲かを把握することで、通話相手にどの程度の時間、待たせてしまっているかを感覚的に把握できる場合がある。
【０００８】
また、本発明は、楽曲データ選択手段により選択した楽曲データの再生順序を決定する再生順序決定手段をさらに備えている。
【０００９】
この構成によると、所有者の所望の順序で楽曲データを連続再生できるようになる場合がある。
【００１０】
また、本発明は、着信信号を受信する受信手段と、受信した着信信号に基づいて、着信相手を特定する着信相手特定手段とをさらに備え、再生順序決定手段は、着信相手毎に再生順序の設定が可能であって、楽曲再生手段は、着信相手特定手段が着信相手を特定すると、その着信相手に設定した再生順序に従って、楽曲データを再生する。
【００１１】
この構成によると、着信相手毎に、連続再生する楽曲データの再生順序を設定できるようになっているため、着信時に流れる楽曲の順序を聴くだけで、所有者は、誰からの着信かを把握できるようになる場合がある。
【００１２】
さらに、本発明は、時計機能と、時刻を設定する時刻設定手段とをさらに備え、楽曲再生手段は、時刻設定手段により設定した時刻になると、楽曲データ選択手段により選択した楽曲データを順に連続再生する。
【００１３】
この構成によると、設定した時刻に、選択した楽曲データが連続再生されるようになっている。これにより、例えば、目覚ましとして、設定した時刻に楽曲データを再生させた場合、現在再生されている楽曲が連続再生されている何曲目の楽曲かを把握することで、楽曲が再生されてからどれくらいの時間が経過したかを把握でき、起床のタイムリミットを感覚的にわかるようになる場合がある。
【発明を実施するための最良の形態】
【００１４】
本発明の実施の形態を図１ないし図８に基づいて以下に説明する。
【００１５】
図２は本実施の形態の携帯電話機１を開いた状態の外観を示す斜視図である。携帯電話機１は第１筐体２と第２筐体３からなり、第１筐体２と第２筐体３はヒンジ４を介して連結される。そして、第１筐体２と第２筐体３は、ヒンジ４を軸として角変位自在に動くことで図１のように折り畳み可能に構成されている。
【００１６】
携帯電話機１は、第１筐体２にメインディスプレイ５を備えている。メインディスプレイ５は携帯電話機１が折り畳まれた時に内側に位置するように配置されている。メインディスプレイ５は液晶ディスプレイやＥＬ（Electro Luminescent）ディスプレイなどで構成され、画像データに基づく画像や時刻、電波強度等を表示する。また、メインディスプレイ５の上部には通話時などに使用するスピーカ６を備える。
【００１７】
第２筐体３には、数字や文字を入力したり、図示しなしメニュー画面を呼び出し、各種機能設定を行ったりするためのキーなどから構成される入力ボタン群７が設けられている。さらに、第２筐体３は下部に通話用のマイク８を備える。
【００１８】
また、図１に示すように、サブディスプレイ１０が、携帯電話機１が折り畳まれた時に筐体の外側に位置するように配置されている。サブディスプレイ１０も、メインディスプレイ５と同様に、液晶ディスプレイやＥＬディスプレイなどで構成される。ここではサブディスプレイ１０の表示可能領域はメインディスプレイ５よりも小さいとしているが、大きくてもよく、また同じ大きさであってもよい。サブディスプレイ１０には時刻や電波強度などを報知する画像が表示される。
【００１９】
さらに、サブディスプレイ１０の右上方には、音楽メロディやビープ音等の着信音を出力する外部スピーカ９が設けられている。また、第２筐体３の背面には基地局（図示せず）に対して着信信号や発信信号等を含む通話電波１００を送受信するアンテナ１１が配設される。
【００２０】
（電気的構成）
上記携帯電話機１は、図３に示すように、マイクロコンピュータ２０を有し、携帯電話機１全体を制御している。このマイクロコンピュータ２０は、プログラムを実行するＣＰＵ（Central Processing Unit）、ＣＰＵが実行するプログラムを格納するＲＯＭ(Read Only Memory)、及びプログラム等で使用するデータを一時的に記憶するＲＡＭ(Random Access Memory)から構成されたものである。そして、マイクロコンピュータ２０は、例えば、着信音設定処理、アラーム設定処理、電話の発着信処理、電子メールの作成・送受信処理、インターネット処理等を行う。着信音設定処理とは、着信時に鳴らす着信音の設定を行う。本実施の形態では、複数の着信音を順に連続再生でき、着信音設定処理で、着信音の選択、再生順序の設定を着信相手毎に指定できるようになっている。アラーム設定処理は、設定した時刻にアラームとしての着信音を鳴らすように設定する処理である。これらマイクロコンピュータ２０が行う処理については、後述の図４に示すフローチャートと共に説明する。
【００２１】
また、マイクロコンピュータ２０には、音声回路２４、無線部２５が接続され、音声回路２４には、スピーカ６及びマイク８が接続され、無線部２５にはアンテナ１１が接続されている。無線部２５は、マイクロコンピュータ２０により制御され、アンテナ１１を通じて電波１００を媒体として図示しない基地局に対して音声データ等を送受信する。音声回路２４は、無線部２５からマイクロコンピュータ２０を通じて出力された受信信号をスピーカ６に出力するとともに、マイク８から出力された音声信号を送信信号としてマイクロコンピュータ２０を通じて無線部２５に出力する。
【００２２】
さらに、マイクロコンピュータ２０には、不揮発性メモリ２１が接続され、不揮発性メモリ２１は、例えば、着信音楽等の着信音データ、着信相手の名前や電話番号が登録されるアドレス帳データ、待受画像用の画像データ等の各種データやアプリケーション等のプログラムを不揮発的に記憶する。この不揮発性メモリ２１に記憶されるデータは、携帯電話機１のインターネット機能を利用して、サーバからダウンロードしたものであってもよいし、パソコンと接続し、パソコンから取り込まれたデータであってもよい。
【００２３】
その他、メインディスプレイ５、サブディスプレイ１０、入力ボタン群７、外部スピーカ９、二次電池２３、及び時計２６が、マイクロコンピュータ２０に接続されている。メインディスプレイ５は、着信音を設定する設定画面や、アラームを設定する設定画面、その他、現在時刻や待受け時の画像等を表示する。入力ボタン群７は、数字や文字を入力する操作ボタンである。外部スピーカ９は、着信時に着信を報知する着信音を出力する。二次電池２３は、各回路に電力を供給する。時計２６は、時間データを出力する。
【００２４】
（携帯電話機の動作）
次に、携帯電話機１の動作について、図４〜図６に示すフローチャートを参照して説明する。
【００２５】
（機能設定処理ルーチン）
所有者が入力ボタン群７を操作して、メニュー設定機能が呼び出されると、携帯電話機１のマイクロコンピュータ２０、より具体的には、ＣＰＵは、ＲＯＭに格納されるプログラムを実行し、図４に示す機能設定処理ルーチンを開始する。まず、メインディスプレイ５にメニュー画面（図示しない）を表示する（Ｓ１）。このメニュー画面で、携帯電話機１が有する機能の中のどの機能の設定を行うかを選択することができる。そして、メニュー画面の中から、着信音の設定が選択されたか否かを判定する（Ｓ２）。
【００２６】
着信音の設定が選択された場合（Ｓ２：ＹＥＳ）、図７（ａ）に示す、着信相手を選択する画面を表示する（Ｓ３）。この画面では、携帯電話機１のアドレス帳データに登録されている名前が五十音順に表示される。そして、表示された名前の左側には、オプションボタン３０が表示され、所有者は入力ボタン群７を操作することで何れか一つが選択できるようになっている。
【００２７】
Ｓ３で着信相手が選択されると、次に、図７（ｂ）に示す、着信音を選択する画面を表示する（Ｓ４）。この画面では、不揮発性メモリ２１に記憶される着信音データの名前が表示され、各着信音データの名前の左側にはチェックボックス３１が表示される。このチェックボックス３１にチェックが入ることで、その着信音データが選択されたことになる。なお、着信音データは、複数選択可能となっている。
【００２８】
次に、図７（ｃ）に示す、着信音データの再生順序を決定する画面を表示する（Ｓ５）。この画面では、Ｓ４で選択した着信音データが表示され、その左側には、再生順番を入力するテキストボックス３２が表示される。このテキストボックス３２に「１」から数字を入力することで、その順番どおりに着信音データが再生されるようになる。例えば、図７（ｃ）では、「Ａ曲」が１番、「Ｄ曲」が２番、「Ｃ曲」が３番の順に連続再生される。即ち、Ｓ３で設定した着信相手からの着信があると、Ｓ４で選択した着信音データを、Ｓ５で設定した再生順序で連続再生し、着信を報知する。再生順序が決定されると、本ルーチンを終了する。
【００２９】
一方、Ｓ２において、メニュー画面の中から、着信音の設定が選択されていない場合（Ｓ２：ＮＯ）、アラーム設定が選択されたか否かを判定する（Ｓ６）。アラーム設定とは、設定した時刻にアラーム音を鳴らすための設定である。アラーム設定が選択されていない場合（Ｓ６：ＮＯ）、他の選択された設定に対応する処理を行い（Ｓ１０）、本ルーチンを終了する。
【００３０】
アラーム設定が選択された場合（Ｓ６：ＹＥＳ）、図８に示す、アラーム時刻を設定する画面を表示する（Ｓ７）。この画面では、アラーム音を鳴らす時刻を設定する。次に、次に、図７（ｂ）に示す画面と同様に、アラーム音を選択する画面を表示する（Ｓ８）。その後、図７（ｃ）に示す画面と同様に、アラーム音の再生順序を決定する画面を表示する（Ｓ９）。再生順序が決定されると、本ルーチンを終了する。
【００３１】
（着信報知処理ルーチン）
また、携帯電話機１のマイクロコンピュータ２０は、図示しない基地局から着信信号である電波１００を受信すると、図５に示す着信報知処理ルーチンを実行する。まず、着信相手を判定する（Ｓ１１）。具体的には、着信信号に基づいて、着信相手が、自身のアドレス帳に登録されているかを判定する。そして、判定した結果、登録されている場合（Ｓ１２：ＹＥＳ）、その着信相手に対して、着信音が設定されているか否かを判定する（Ｓ１３）。着信音が設定されている場合（Ｓ１３：ＹＥＳ）、具体的には、図４の処理ルーチンのＳ３〜Ｓ５で設定されている場合、その設定した着信音を再生する（Ｓ１４）。これにより、着信している間、異なる着信音データが再生されるため、所有者は、着信してからどの程度の時間が経過したかを、着信音を聴くことで感覚的に把握できるようになる。その後、例えば、操作ボタン群７の何れかのボタンを押下操作され、着信に対して応答操作が行われたか否かを判定する（Ｓ１５）。
【００３２】
応答操作が行われていなければ（Ｓ１５：ＮＯ）、応答操作が行われるまでＳ１５を繰り返す。応答操作が行われていれば（Ｓ１５：ＹＥＳ）、応答処理を行い（Ｓ１６）、本ルーチンを終了する。一方。Ｓ１２において、着信相手が登録されていない場合（Ｓ１２：ＮＯ）、また、Ｓ１３において、着信音が設定されていない場合（Ｓ１３：ＮＯ）、何れも通常の着信音を再生し（Ｓ１７）、Ｓ１５に移行する。なお、通常の着信音とは、携帯電話機１の工場出荷時に設定された着信音であってもよいし、所有者が設定した着信音であってもよい。
【００３３】
（アラーム処理ルーチン）
また、マイクロコンピュータ２０は、アラーム機能がセットされると、図６に示すアラーム処理ルーチンを実行する。そして、まず、現在時刻が設定した時刻であるか否かを判定する（Ｓ２１）。ここで設定した時刻とは、図４の処理ルーチンのＳ６で設定した時刻である。現在時刻が設定した時刻でない場合（Ｓ２１：ＮＯ）、設定した時刻になるまでＳ２１を繰り返す。
【００３４】
現在時刻が設定した時刻である場合（Ｓ２１：ＹＥＳ）、アラーム音が設定されているか否かを判定する（Ｓ２２）。具体的には、図４の処理ルーチンのＳ７〜Ｓ９でアラーム音が設定されているか否かを判定する。アラーム音が設定されている場合（Ｓ２２：ＹＥＳ）、その設定したアラーム音を再生する（Ｓ２３）。具体的には、選択した複数の着信音データを設定した順序で連続再生する。これにより、アラーム音を聴くと、アラーム音が鳴り始めてからどれくらいの時間が立ったのかを感覚的に把握できるようになる。一方、アラーム音が設定されていない場合（Ｓ２２：ＮＯ）、通常のアラーム音を再生する（Ｓ２４）。通常のアラーム音とは、携帯電話機１の工場出荷時に設定されたアラーム音であってもよいし、所有者が設定したアラーム音であってもよい。
【００３５】
その後、アラームの停止操作が行われたか否かを判定する（Ｓ２５）。停止操作が行われていない場合（Ｓ２５：ＮＯ）、停止操作が行われるまでＳ２５を繰り返す。停止操作が行われた場合（Ｓ２５：ＹＥＳ）、アラーム音を停止し（Ｓ２６）、本ルーチンを終了する。
【００３６】
（本実施形態の概要）
以上、説明したように、本実施の形態は、複数の楽曲データ（着信音データ）を記憶する楽曲データ記憶手段（不揮発性メモリ２１）と、楽曲データ記憶手段から１以上の楽曲データを選択する楽曲データ選択手段（マイクロコンピュータ２０、入力ボタン群７等）と、着信があった場合に、着信に対して応答する応答手段（入力ボタン群７等）と、着信後、応答手段により応答するまでの間、楽曲データ選択手段により選択した楽曲データを順に連続再生する楽曲再生手段（マイクロコンピュータ２０、外部スピーカ９等）とを備えた構成にされている。
【００３７】
この構成によると、携帯電話機において、着信後、応答するまでの間、複数の楽曲データが連続して再生可能となっている。これにより、携帯電話機の所有者は、着信があった場合、現在再生されている楽曲が連続再生されている何曲目の楽曲かを把握することで、通話相手にどの程度の時間、待たせてしまっているかを感覚的に把握できる場合がある。
【００３８】
また、本実施の形態は、楽曲データ選択手段により選択した楽曲データの再生順序を決定する再生順序決定手段（マイクロコンピュータ２０、入力ボタン群７等）をさらに備えた構成にされている。
【００３９】
この構成によると、所有者の所望の順序で楽曲データを連続再生できるようになる場合がある。
【００４０】
また、本実施の形態は、着信信号を受信する受信手段（アンテナ１１、無線部２５等）と、受信した着信信号に基づいて、着信相手を特定する着信相手特定手段（マイクロコンピュータ２０）とをさらに備え、再生順序決定手段は、着信相手毎に再生順序の設定が可能であって、楽曲再生手段は、着信相手特定手段が着信相手を特定すると、その着信相手に設定した再生順序に従って、楽曲データを再生する構成にされている。
【００４１】
この構成によると、着信相手毎に、連続再生する楽曲データの再生順序を設定できるようになっているため、着信時に流れる楽曲の順序を聴くだけで、所有者は、誰からの着信かを把握できるようになる場合がある。
【００４２】
さらに、本実施の形態は、時計機能（時計２６）と、時刻を設定する時刻設定手段（マイクロコンピュータ２０、入力ボタン群７等）とをさらに備え、楽曲再生手段は、時刻設定手段により設定した時刻になると、楽曲データ選択手段により選択した楽曲データを順に連続再生する構成にされている。
【００４３】
この構成によると、設定した時刻に、選択した楽曲データが連続再生されるようになっている。これにより、例えば、目覚ましとして、設定した時刻に楽曲データを再生させた場合、現在再生されている楽曲が連続再生されている何曲目の楽曲かを把握することで、楽曲が再生されてからどれくらいの時間が経過したかを把握でき、起床のタイムリミットを感覚的にわかるようになる場合がある。
【００４４】
（本実施の形態の変形例）
以上、本発明の実施例を説明したが、具体例を例示したに過ぎず、特に本発明を限定するものではなく、具体的構成などは、適宜設計変更可能である。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【００４５】
例えば、上述の実施の形態では、１人の着信相手に１パターンの着信音を設定するようになっているが、複数の着信相手に同じ着信音を設定できるようにしてもよい。即ち、グループ毎に着信音を設定できるようにしてもよい。また、設定する着信音は、メロディであってもよいし、メロディとベル等とが混在したものであってもよい。その他、携帯電話機の構成や、設定画面等、上述の実施の形態で説明したものに限定されることはなく、適宜変更可能である。
【図面の簡単な説明】
【００４６】
【図１】携帯電話機を折り畳んだ状態の斜視図。
【図２】携帯電話機を開けた状態の斜視図。
【図３】携帯電話機の電気的構成を示すブロック図。
【図４】機能設定処理ルーチンのフローチャートを示す図。
【図５】着信報知処理ルーチンのフローチャートを示す図。
【図６】アラーム処理ルーチンのフローチャートを示す図。
【図７】（ａ）着信相手を選択する画面を示す図（ｂ）着信音を選択する画面を示す図（ｃ）着信音データの再生順序を決定する画面を示す図。
【図８】アラーム時刻を設定する画面を示す図。
【符号の説明】
【００４７】
１  携帯電話機
２  第１筐体
３  第２筐体
４  ヒンジ
５  メインディスプレイ
６  スピーカ
７  操作ボタン群
８  マイク
９  外部スピーカ
１０  サブディスプレイ
１１  アンテナ
１００  通話電波
【図１】
2008060709.tif 000003
【図２】
2008060709.tif 000004
【図３】
2008060709.tif 000005
【図４】
2008060709.tif 000006
【図５】
2008060709.tif 000007
【図６】
2008060709.tif 000008
【図７】
2008060709.tif 000009
【図８】
2008060709.tif 000010